(57)【特許請求の範囲】
【請求項１】
貯水部に貯水された次亜塩素酸水を微細化して、装置内を流通する空気に含ませて放出する加湿浄化部と、
前記加湿浄化部における前記次亜塩素酸水の微細化動作を制御する制御部と、
を備え、
前記制御部は、前記微細化動作中に、予め特定された時間情報であって、前記貯水部に貯水された前記次亜塩素酸水に含まれる次亜塩素酸の含有量が前記微細化動作を開始してから基準含有量以下となるまでの前記時間情報に基づいて、前記貯水部に貯水された前記次亜塩素酸水を排水して、新たに次亜塩素酸水を給水する第一処理を実行させることを特徴とする空間浄化装置。
【請求項２】
請求項１に記載の空間浄化装置と、
塩化物水溶液を電気分解することで前記次亜塩素酸水を生成する次亜塩素酸水生成装置と、
を備え、
前記貯水部には、前記第一処理において、前記次亜塩素酸水生成装置から前記次亜塩素酸水が給水されることを特徴とする空間浄化システム。
【請求項３】
前記次亜塩素酸水生成装置は、所定の対象空間に設置された複数の前記空間浄化装置に対して前記次亜塩素酸水を給水可能に接続されており、
複数の前記空間浄化装置のうち、少なくとも第一空間浄化装置と第二空間浄化装置とは、前記第一処理後における前記加湿浄化部の動作開始タイミングが互いに異なるように制御されることを特徴とする請求項２に記載の空間浄化システム。
【発明の詳細な説明】
【技術分野】
【０００１】
本発明は、水を微細化し、吸い込んだ空気にその微細化した水を含ませて吹き出すとともに、微細化した水に次亜塩素酸を含ませて放出する空間浄化装置及びこれを用いた空間浄化システムに関するものである。
【背景技術】
【０００２】
従来、この種の空間浄化装置として、屋内に供給する空気を次亜塩素酸が含まれた気液接触部材部に接触させて放出することで空間を除菌する空気調和システムが知られている（例えば、特許文献１参照）。
【０００３】
そして、こうした従来の空間浄化装置では、一般的に、装置内に貯水された水（次亜塩素酸を含ませた水）は、微細化動作に伴って水及び次亜塩素酸が気化され、消費される。そして、貯水された水がなくなると、空間浄化装置には、新たな水（次亜塩素酸を含ませた水）が供給される。従来の空間浄化装置では、こうした動作を自動的に繰り返し行っている。
【先行技術文献】
【特許文献】
【０００４】
【特許文献１】特開２００９−１３３５２１号公報
【発明の概要】
【発明が解決しようとする課題】
【０００５】
しかしながら、次亜塩素酸は、水よりも蒸気圧が高く気化しやすいために、従来の空間浄化装置では、特に相対湿度が高い夏季においては、貯水された水（次亜塩素酸を含ませた水）が微細化動作に伴って消費される前に、貯水された水に含まれる次亜塩素酸が気化して減少してしまい、設定濃度で次亜塩素酸が放出されなくなるという課題があった。
【０００６】
そこで本発明は、上記従来の課題を解決するものであり、微細化した水に次亜塩素酸を含ませて放出する微細化動作を継続して行う場合に、次亜塩素酸を安定して付与可能な空間浄化装置及びこれを用いた空間浄化システムを提供することを目的とする。
【課題を解決するための手段】
【０００７】
そして、この目的を達成するために、本発明に係る空間浄化装置は、貯水部に貯水され
た次亜塩素酸水を微細化して、装置内を流通する空気に含ませて放出する加湿浄化部と、加湿浄化部における次亜塩素酸水の微細化動作を制御する制御部とを備える。そして、制御部は、微細化動作中に、予め特定された時間情報であって、貯水部に貯水された次亜塩素酸水に含まれる次亜塩素酸の含有量が微細化動作を開始してから基準含有量以下となるまでの時間情報に基づいて、貯水部に貯水された次亜塩素酸水を排水して、新たに次亜塩素酸水を給水する第一処理を実行させるものである。
【０００８】
また、本発明に係る空間浄化システムは、上述した空間浄化装置と、塩化物水溶液を電気分解することで次亜塩素酸水を生成する次亜塩素酸水生成装置とを備える。そして、貯水部には、第一処理において、次亜塩素酸水生成装置から次亜塩素酸水が給水されるものである。これにより所期の目的を達成するものである。
【発明の効果】
【０００９】
本発明によれば、微細化した水に次亜塩素酸を含ませて放出する微細化動作を継続して行う場合に、次亜塩素酸を安定して付与可能な空間浄化装置及びこれを用いた空間浄化システムを提供することができる。
【図面の簡単な説明】
【００１０】
【図１】図１は、本発明の実施の形態１に係る空間浄化システムの模式図である。
【図２】図２は、空間浄化システムにおける次亜塩素酸水生成装置の次亜制御部の構成を示すブロック図である。
【図３】図３は、空間浄化システムにおける加湿浄化装置の加湿制御部の構成を示すブロック図である。
【図４】図４は、空間浄化システムにおける次亜塩素酸濃度の経時変化を示す概略図である。
【図５】図５は、本発明の実施の形態２に係る空間浄化システムの模式図である。
【図６】図６は、空間浄化システムにおける次亜塩素酸濃度の経時変化を示す概略図である。
【図７】図７は、本発明の実施の形態３に係る空間浄化システムの模式図である。
【図８】図８は、空間浄化システムにおける次亜塩素酸濃度の経時変化を示す概略図である。
【発明を実施するための形態】
【００１１】
本発明に係る空間浄化装置は、貯水部に貯水された次亜塩素酸水を微細化して、装置内を流通する空気に含ませて放出する加湿浄化部と、加湿浄化部における次亜塩素酸水の微細化動作を制御する制御部とを備える。そして、制御部は、微細化動作中に、貯水部に貯水された次亜塩素酸水に含まれる次亜塩素酸の含有量に関する情報に基づいて、貯水部に貯水された次亜塩素酸水を排水して、新たに次亜塩素酸水を給水する第一処理を実行させる。
【００１２】
こうした構成によれば、貯水部に貯水された次亜塩素酸水に含まれる次亜塩素酸が気化して減少し、加湿浄化部から設定濃度で次亜塩素酸が放出されなくなる前に、第一処理によって新たな次亜塩素酸水に交換することができる。このため、空間浄化装置では、加湿浄化部から放出される空気に次亜塩素酸を安定して付与することができる。つまり、微細化した水に次亜塩素酸を含ませて放出する微細化動作を継続して行う場合に、次亜塩素酸を安定して付与可能な空間浄化装置とすることができる。
【００１３】
また、本発明に係る空間浄化装置は、貯水部に貯水された次亜塩素酸水に含まれる次亜塩素酸の濃度を検出する検出部をさらに備える。そして、次亜塩素酸の含有量に関する情報は、検出部において検出された濃度情報であり、制御部は、濃度情報に含まれる次亜塩素酸の濃度が基準濃度以下である場合に、第一処理を実行させることが好ましい。このようにすることで、空間浄化装置では、濃度情報に基づいて、貯水部に貯水された次亜塩素酸水に含まれる次亜塩素酸の含有量が基準濃度よりも高く維持されるので、加湿浄化部から放出される空気に設定濃度の次亜塩素酸を安定して付与することができる。
【００１４】
また、本発明に係る空間浄化装置では、次亜塩素酸の含有量に関する情報は、予め特定された時間情報であって、次亜塩素酸の含有量が微細化動作を開始してから基準含有量以下となるまでの時間情報であり、制御部は、時間情報に基づいて第一処理を実行させることが好ましい。このようにすることで、空間浄化装置では、時間情報に基づいて、貯水部に貯水された次亜塩素酸水に含まれる次亜塩素酸の含有量が基準含有量よりも高く維持されるので、加湿浄化部から放出される空気に設定濃度の次亜塩素酸を安定して付与することができる。
【００１５】
また、本発明に係る空間浄化システムは、上述した空間浄化装置と、塩化物水溶液を電気分解することで次亜塩素酸水を生成する次亜塩素酸水生成装置とを備える。そして、貯水部には、第一処理において、次亜塩素酸水生成装置から次亜塩素酸水が給水される。これにより、空間浄化システムでは、次亜塩素酸水生成装置からの次亜塩素酸水を用いて、上述した空間浄化装置から次亜塩素酸を安定して付与することができる。つまり、微細化した水に次亜塩素酸を含ませて放出する微細化動作を継続して行う場合に、次亜塩素酸を安定して付与可能な空間浄化システムとすることができる。
【００１６】
また、本発明に係る空間浄化システムでは、次亜塩素酸水生成装置は、所定の対象空間に設置された複数の空間浄化装置に対して次亜塩素酸水を給水可能に接続されており、複数の空間浄化装置のうち、少なくとも第一空間浄化装置と第二空間浄化装置とは、第一処理後における加湿浄化部の動作開始タイミングが互いに異なるように制御されることが好ましい。このようにすることで、第一空間浄化装置の加湿浄化部から放出される次亜塩素酸と、第二空間浄化装置の加湿浄化部から放出される次亜塩素酸とによって、所定の対象空間における空気に含まれる次亜塩素酸の濃度変動幅を減少させることができる。つまり、微細化した水に次亜塩素酸を含ませて放出する微細化動作を継続して行う場合に、所定の対象空間における空気に含まれる次亜塩素酸の濃度を安定化することが可能な空間浄化システムとすることができる。
【００１７】
以下、本発明を実施するための形態について添付図面を参照して説明する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００１８】
以下、本発明の実施の形態について図面を参照しながら説明する。
【００１９】
（実施の形態１）
図１を参照して、本発明の実施の形態１に係る空間浄化システム１について説明する。図１は、本発明の実施の形態１に係る空間浄化システム１の模式図である。
【００２０】
本発明の実施の形態１に係る空間浄化システム１は、塩化物水溶液を電気分解することで次亜塩素酸水を生成する次亜塩素酸水生成装置２と、次亜塩素酸水生成装置２からの次亜塩素酸水を遠心破砕方式により微細化して、装置内を流通する空気に含ませて放出する加湿浄化装置３とを備える。そして、空間浄化システム１では、加湿浄化装置３から放出される空気（水及び次亜塩素酸を含む空気）を対象空間Ｓ（例えば、屋内空間）に供給することで、対象空間Ｓの殺菌及び消臭を行う。この際、空間浄化システム１では、加湿浄化装置３に貯水された次亜塩素酸水に含まれる次亜塩素酸の濃度（含有量）に基づいて、装置内に貯水されている次亜塩素酸水を排水し、新たに次亜塩素酸水を給水するように制御している。これにより、空間浄化システム１は、対象空間Ｓに対して次亜塩素酸を含んだ空気を安定して付与可能としている。詳細は後述する。
【００２１】
空間浄化システム１は、図１に示すように、主として、次亜塩素酸水生成装置２と、加湿浄化装置３とを有して構成される。
【００２２】
＜次亜塩素酸水生成装置＞
まず、次亜塩素酸水生成装置２の構成について説明する。
【００２３】
次亜塩素酸水生成装置２は、電解質となる塩化物水溶液を電気分解することで次亜塩素酸水を生成するための装置である。具体的には、次亜塩素酸水生成装置２は、図１に示すように、電解槽１２ａと、希釈槽２２ａと、第一送水管１２ｇと、第一止水弁１２ｈと、第一ポンプ１２ｉと、第二送水管２２ｇと、第二止水弁２２ｆと、第二ポンプ２２ｈと、次亜制御部４とを備える。
【００２４】
電解槽１２ａは、電解質となる塩化物水溶液の電気分解によって次亜塩素酸水を生成するための槽である。具体的には、電解槽１２ａは、図１に示すように、電極１２ｂと、第一水道管１２ｃと、塩化物イオンタンク１２ｄと、電解槽水位センサ１２ｅと、第一水道弁１２ｆとを有して構成される。そして、電解槽１２ａは、第一水道管１２ｃから導入される水道水と、塩化物イオンタンク１２ｄから供給される塩化物イオンを含む物質（塩化物薬剤）とを混合して塩化物イオンを含む水溶液（塩化物水溶液）を調製し、電極１２ｂの作用により塩化物水溶液を電気分解し、次亜塩素酸水を生成する。
【００２５】
以下、電解槽１２ａの各構成部材について説明する。
【００２６】
電極１２ｂは、食塩水など塩化物イオンを含む水溶液を電気分解するための部材である。電極１２ｂは、陽極と陰極との一対の電極からなり、導電性基体の表面に触媒被膜を有して構成される。導電性基体には、例えば、チタン、タンタル、ニッケル、ステンレス等が使用できるが、次亜塩素酸に対する耐食性が大きいチタンが好ましい。また、触媒被膜に含まれる触媒には、例えば、イリジウム、白金族金属等が使用される。これにより、電極１２ｂでの電気分解反応を活性化させることができる。電極１２ｂは、電解槽１２ａのサイズあるいは生成したい次亜塩素酸水の量に応じて複数備えていてもよい。
【００２７】
第一水道管１２ｃは、装置外から電解槽１２ａへ水道水を導入するための配管である。第一水道管１２ｃは、一端が電解槽１２ａに接続され、他端が給水設備と接続される。
【００２８】
塩化物イオンタンク１２ｄは、電解槽１２ａへ供給する塩化物イオンを含む物質（塩化物薬剤）を保持するための容器である。塩化物イオンを含む物質は、次亜塩素酸水を生成可能な電解質であり、少量でも塩化物イオンを含んで入れば特に制限はなく、例えば、塩化ナトリウム、塩化カルシウム、塩化マグネシウム等の粉末あるいはタブレット状の固体が挙げられる。また、例えば、塩化ナトリウム等を溶解させた水溶液あるいは塩酸等の液体であってもよい。なお、液体で保持する場合は、電解槽１２ａで電気分解するときの塩化物イオン濃度よりも、より高濃度の水溶液として保持しておくことで、塩化物イオンタンク１２ｄを小型化することができる。また、ユーザが塩化物イオンを含む物質を塩化物イオンタンク１２ｄに補充する頻度をさげることができる。
【００２９】
また、塩化物イオンタンク１２ｄは、塩化物イオンを含む物質を電解槽１２ａへ供給する機構を備えていてもよい。例えば、塩化ナトリウムのタブレットを供給する機構としては、塩化物イオンタンク１２ｄの下方に、一部に穴の開いた回転体と、回転体の下に、一部に穴が開いた板とを備えるように構成し、回転体の穴に落ちたタブレットが、回転体が回転することで板に開いた穴から落下する、といった機構が挙げられる。また、例えば、塩酸を供給する機構としては、電磁弁を開閉することで通水する機構あるいはポンプなどが挙げられる。
【００３０】
電解槽水位センサ１２ｅは、電解槽１２ａ内の所定の位置に設置され、電解槽１２ａ内の水道水あるいは次亜塩素酸水の水位を検知するための部材である。電解槽水位センサ１２ｅは、無線または有線により次亜制御部４と通信可能に接続され、電解槽１２ａに規定量の水道水が導入されたかどうかを検知して、検知した情報を次亜制御部４に出力する。なお、電解槽水位センサ１２ｅは、電解槽１２ａ内の水量を検知する手段として用いており、電解槽１２ａ内の水量を検知する手段を備えれば、水位を検知するものでなくてもよい。
【００３１】
第一水道弁１２ｆは、第一水道管１２ｃに備えられている。第一水道弁１２ｆは、無線または有線により次亜制御部４と通信可能に接続され、次亜制御部４からの信号により開閉される。これにより、電解槽１２ａ内に水道水を導入したり停止したりすることができる。第一水道弁１２ｆは、電磁弁を用いることができる。
【００３２】
以上の構成部材によって電解槽１２ａは構成される。
【００３３】
そして、電解槽１２ａを構成する筐体の底面には、槽内の次亜塩素酸水を希釈槽２２ａへ送水するための第一送水管１２ｇが設けられている。ここで、電解槽１２ａの底面は、平らな面（床面に対して略平行な面）でもよいが、電解槽１２ａ内の次亜塩素酸水を効率よく、且つ、無駄なく希釈槽２２ａへ送水するために、第一送水管１２ｇに向かって傾斜していることが好ましい。また、電解槽１２ａには、第一止水弁１２ｈの故障などの要因により、希釈槽２２ａへ次亜塩素酸水を送水することができない場合あるいは電解槽１２ａ内の水洗浄を行う場合を想定して、排水口及び排水ポンプなどの配水手段を備えておいてもよい。さらに、電解槽１２ａには、槽内の塩化物イオン濃度あるいは次亜塩素酸濃度の均一化のために、循環ポンプあるいは撹拌翼などの撹拌手段を備えておいてもよい。
【００３４】
第一送水管１２ｇは、電解槽１２ａと希釈槽２２ａとを連通接続し、電解槽１２ａで生成した次亜塩素酸水を希釈槽２２ａへと送水するための配管である。第一送水管１２ｇは、第一止水弁１２ｈを備えており、電解槽１２ａから希釈槽２２ａへ次亜塩素酸水を送水するのを遮断したり、希釈槽２２ａから電解槽１２ａへ次亜塩素酸水が逆流するのを防いだり、希釈槽２２ａで発生したガスが電解槽１２ａへ侵入するのを防ぐことができる。
【００３５】
第一止水弁１２ｈは、第一送水管１２ｇに備えられている。第一止水弁１２ｈは、無線または有線により次亜制御部４と通信可能に接続され、次亜制御部４からの信号により開閉される。第一止水弁１２ｈは、電磁弁を用いることができる。
【００３６】
第一ポンプ１２ｉは、第一送水管１２ｇに備えられている。第一ポンプ１２ｉは、電解槽１２ａから希釈槽２２ａに次亜塩素酸水を送水する際に、第一止水弁１２ｈが「開」の状態で、第一送水管１２ｇに次亜塩素酸水を流通させる機器である。第一ポンプ１２ｉは、無線または有線により次亜制御部４と通信可能に接続され、次亜制御部４からの信号により動作する。第一止水弁１２ｈと第一ポンプ１２ｉとが連動して動作することにより、希釈槽２２ａ内に電解槽１２ａからの次亜塩素酸水を導入したり停止したりすることができる。
【００３７】
次に、希釈槽２２ａについて説明する。
【００３８】
希釈槽２２ａは、電解槽１２ａの下方（鉛直方向下方）に設置され、電解槽１２ａで生成した次亜塩素酸水を水道水で希釈しつつ水素イオン濃度指数（ｐＨ）を調整して、装置外の加湿浄化装置３へ送水するための槽である。具体的には、希釈槽２２ａは、図１に示すように、第二水道管２２ｂと、希釈槽水位センサ２２ｃと、ｐＨ調整剤タンク２２ｄと、第二水道弁２２ｅとを有して構成される。そして、希釈槽２２ａは、電解槽１２ａから導入された一定量の次亜塩素酸水と、第二水道管２２ｂから導入された水道水とを混合して次亜塩素酸水を希釈するとともに、ｐＨ調整剤タンク２２ｄから供給されるｐＨ調整剤を溶解混合して次亜塩素酸水のｐＨ調整を行い、第二ポンプ２２ｇによって加湿浄化装置３に送水する。そして、希釈槽２２ａは、加湿浄化装置３への送水後に、新たに次亜塩素酸水を希釈生成して待機する。
【００３９】
以下、希釈槽２２ａの各構成部材について説明する。
【００４０】
第二水道管２２ｂは、装置外から希釈槽２２ａへ水道水を導入するための配管である。第二水道管２２ｂは、一端が希釈槽２２ａに接続され、他端が第一水道管１２ｃを介して給水設備と接続される。第二水道管２２ｂは、第一水道管１２ｃから分岐された配管とも言える。
【００４１】
希釈槽水位センサ２２ｃは、希釈槽２２ａ内の所定の位置に設置され、希釈槽２２ａ内の水道水あるいは次亜塩素酸水の水位を検知するための部材である。希釈槽水位センサ２２ｃは、無線または有線により次亜制御部４と通信可能に接続され、希釈槽２２ａに規定量の水道水が導入されたかどうかを検知して、検知した情報を次亜制御部４に出力する。また、希釈槽水位センサ２２ｃは、希釈槽２２ａの次亜塩素酸水が装置外へ送水されたかどうかを検知して、検知した情報を次亜制御部４に出力する。なお、希釈槽水位センサ２２ｃは、希釈槽２２ａ内の水量を検知する手段として用いており、希釈槽２２ａ内の水量を検知する手段を備えれば、水位を検知するものでなくてもよい。
【００４２】
ｐＨ調整剤タンク２２ｄは、希釈槽２２ａへ供給するｐＨ調整剤を保持するための容器である。ｐＨ調整剤は、次亜塩素酸水のｐＨを調整することが可能な物質であり、例えば、リン酸塩、酢酸塩、炭酸塩、クエン酸、酒石酸、水酸化物、アンモニウム塩、等の粉末あるいはタブレット状の固体が挙げられる。また、例えば、リン酸塩等を溶解させた水溶液、塩酸、硫酸、硝酸、酢酸、リン酸、等の液体でもよい。なお、液体で保持する場合は、希釈槽２２ａへ供給するｐＨ調整剤濃度よりも、より高濃度の水溶液として保持しておくことで、ｐＨ調整剤タンク２２ｄを小型化することができる。また、ユーザがｐＨ調整剤を補充する頻度をさげることができる。
【００４３】
また、ｐＨ調整剤タンク２２ｄは、ｐＨ調整剤を希釈槽２２ａへ供給する機構を備えていてもよい。例えば、リン酸緩衝剤のタブレットを供給する機構としては、ｐＨ調整剤タンク２２ｄの下方に、一部に穴の開いた回転体と、回転体の下に、一部に穴が開いた板とを備えるように構成し、回転体の穴に落ちたタブレットが、回転体が回転することで板に開いた穴から落下する、といった機構が挙げられる。また、例えば、リン酸塩等を溶解させた水溶液を供給する機構としては、電磁弁を開閉することで通水するような機構あるいはポンプなどが挙げられる。なお、ｐＨ調整方法としては、炭酸ガスなどの気体を希釈槽２２ａ内の次亜塩素酸水に吹き込む方法であってもよい。
【００４４】
第二水道弁２２ｅは、第二水道管２２ｂに備えられている。第二水道弁２２ｅは、無線または有線により次亜制御部４と通信可能に接続され、次亜制御部４からの信号により開閉される。これにより、希釈槽２２ａ内に水道水を導入したり停止したりすることができる。第二水道弁２２ｅは、電磁弁を用いることができる。なお、第二ポンプ２２ｇが止水性を有するものであるならば、第二止水弁２２ｆは、必ずしも必要ではない。
【００４５】
以上の構成部材によって希釈槽２２ａは構成される。
【００４６】
そして、希釈槽２２ａを構成する筐体の底面には、槽内の次亜塩素酸水を加湿浄化装置３へ送水するための第二送水管２２ｇが設けられている。ここで、希釈槽２２ａの底面は、平らな面（床面に対して略平行な面）でもよいが、希釈槽２２ａ内の次亜塩素酸水を効率よく、且つ、無駄なく加湿浄化装置３へ送水するために、第二送水管２２ｇに向かって傾斜していることが好ましい。また、希釈槽２２ａには、第二止水弁２２ｆの故障などの要因により、加湿浄化装置３へ次亜塩素酸水を送水することができない場合あるいは希釈槽２２ａ内の水洗浄を行う場合を想定して、排水口及び排水ポンプなどの配水手段を備えておいてもよい。さらに、希釈槽２２ａ内の次亜塩素酸水濃度あるいはｐＨ調整剤濃度の均一化のために、循環ポンプあるいは撹拌翼などの撹拌手段を備えておいてもよい。
【００４７】
第二送水管２２ｇは、希釈槽２２ａと加湿浄化装置３とを連通接続し、希釈槽２２ａで希釈してｐＨ調整した次亜塩素酸水を加湿浄化装置３へと送水するための配管である。第二送水管２２ｇは、第二止水弁２２ｆを備えており、電解槽１２ａから希釈槽２２ａへ次亜塩素酸水を送水するのを遮断することができる。
【００４８】
第二止水弁２２ｆは、第二送水管２２ｇに備えられている。第二止水弁２２ｆは、無線または有線により次亜制御部４と通信可能に接続され、次亜制御部４からの信号により開閉される。第二止水弁２２ｆは、電磁弁を用いることができる。
【００４９】
第二ポンプ２２ｈは、第二送水管２２ｇに備えられている。第二ポンプ２２ｈは、電解槽１２ａから希釈槽２２ａに次亜塩素酸水を送水する際に、第二止水弁２２ｆが「開」の状態で、第二送水管２２ｇｃに次亜塩素酸水を流通させる機器である。第二ポンプ２２ｈは、無線または有線により次亜制御部４と通信可能に接続され、次亜制御部４からの信号により動作する。第二送水管２２ｇと第二ポンプ２２ｈとが連動して動作することにより、加湿浄化装置３内に希釈槽２２ａからの次亜塩素酸水を導入したり停止したりすることができる。
【００５０】
＜加湿浄化装置＞
次に、加湿浄化装置３の構成について説明する。
【００５１】
加湿浄化装置３は、遠心破砕によって次亜塩素酸水を微細化して、装置内を流通する空気に含ませて放出し、対象空間Ｓを浄化するための装置である。具体的には、加湿浄化装置３は、図１に示すように、加湿器タンク３ａと、加湿器タンク水位センサ３ｂと、遠心破砕ユニット３ｃと、空気導入口３ｄと、空気送出口３ｅと、ブロア３ｆ、次亜塩素酸水濃度センサ３ｇと、排水管３ｈと、排水弁３ｉとを有して構成される。なお、加湿浄化装置３は、請求項の「空間浄化装置」に相当する。
【００５２】
以下、加湿浄化装置３の各構成部材について説明する。
【００５３】
加湿器タンク３ａは、次亜塩素酸水生成装置２（希釈槽２２ａ）から供給された次亜塩素酸水を溜めておくための貯水容器である。なお、加湿器タンク３ａは、請求項の「貯水部」に相当する。
【００５４】
加湿器タンク水位センサ３ｂは、加湿器タンク３ａ内の所定の位置に設置され、次亜塩素酸水生成装置２から供給された次亜塩素酸水の水位を検知するための部材である。加湿器タンク水位センサ３ｂは、無線または有線により加湿制御部５と通信可能に接続され、加湿器タンク３ａの水位を検知して、検知した情報を加湿制御部５に出力する。なお、加湿器タンク水位センサ３ｂは、加湿器タンク３ａ内の水量を検知する手段として用いており、加湿器タンク３ａ内の水量を検知する手段を備えれば、水位を検知するものでなくてもよい。
【００５５】
遠心破砕ユニット３ｃは、装置内に導入した空気に水分を含ませるための部材である。遠心破砕ユニット３ｃは、高速回転することで加湿器タンク３ａ内の水（次亜塩素酸水）を遠心力で吸い上げて、周囲（遠心方向）に水を遠心盤から放出して破砕壁に衝突させ、水粒子を微細化させる。この際、遠心破砕ユニット３ｃを通過する空気には、微細化された水とともに次亜塩素酸が付加される。また、遠心破砕ユニット３ｃは、無線または有線により加湿制御部５と通信可能に接続され、加湿制御部５からの信号により動作する。なお、遠心破砕ユニット３ｃは、請求項の「加湿浄化部」に相当する。
【００５６】
空気導入口３ｄは、対象空間Ｓ（例えば、室内空間）の空気を装置内へ導入するための開口である。空気導入口３ｄは、ダクト（図示せず）を介して対象空間Ｓに設けられた吸込口（図示せず）と連通接続されている。
【００５７】
空気送出口３ｅは、遠心破砕ユニット３ｃの作用により加湿された空気を装置外の対象空間Ｓへ排出するための開口である。空気送出口３ｅは、ダクト９を介して対象空間Ｓに設けられた吹出口９ａと連通接続されている。
【００５８】
ブロア３ｆは、空気導入口３ｄから装置内に空気を導入し、遠心破砕ユニット３ｃの作用により加湿された空気を空気送出口３ｅから装置外に排出する流れを生じさせる部材である。
【００５９】
次亜塩素酸水濃度センサ３ｇは、加湿器タンク３ａ内の所定の位置に設置され、加湿器タンク３ａに貯水された次亜塩素酸水に含まれる次亜塩素酸の濃度（含有量）を検出する部材である。次亜塩素酸水濃度センサ３ｇは、無線または有線により加湿制御部５と通信可能に接続され、加湿器タンク３ａに貯水された次亜塩素酸水に含まれる次亜塩素酸の濃度（含有量）を検知して、検知した情報を加湿制御部５に出力する。なお、次亜塩素酸水濃度センサ３ｇは、請求項の「検出部」に相当する。
【００６０】
排水管３ｈは、加湿器タンク３ａの底面に設けられ、加湿器タンク３ａ内の次亜塩素酸水を装置外へ排水するための配管である。排水管３ｈは、排水弁３ｉを備えており、加湿浄化装置３から装置外へ次亜塩素酸水を排水するのを遮断することができる。
【００６１】
排水弁３ｉは、排水管３ｈに備えられている。排水弁３ｉは、無線または有線により加湿制御部５と通信可能に接続され、加湿制御部５からの信号により開閉される。排水弁３ｉは、電磁弁を用いることができる。
【００６２】
以上のような構成部材によって加湿浄化装置３は構成される。
【００６３】
次に、空間浄化システム１における次亜塩素酸水生成装置２の次亜制御部４及び加湿浄化装置３の加湿制御部５について、図２及び図３を参照して説明する。図２は、空間浄化システム１における次亜塩素酸水生成装置２の次亜制御部４の構成を示すブロック図である。図３は、空間浄化システム１における加湿浄化装置３の加湿制御部５の構成を示すブロック図である。
【００６４】
ここで、次亜制御部４及び加湿制御部５は、プロセッサ及びメモリを有するコンピュータシステムを有している。そして、プロセッサがメモリに格納されているプログラムを実行することにより、コンピュータシステムが制御部として機能する。プロセッサが実行するプログラムは、ここではコンピュータシステムのメモリに予め記録されているとしたが、メモリカード等の非一時的な記録媒体に記録されて提供されてもよいし、インターネット等の電気通信回線を通じて提供されてもよい。
【００６５】
＜次亜塩素酸水生成装置の次亜制御部＞
まず、次亜塩素酸水生成装置２の次亜制御部４について説明する。
【００６６】
次亜制御部４は、次亜塩素酸水生成装置２における処理動作を制御する。ここで、処理動作には、電解槽１２ａにおける電気分解処理に関する動作、希釈槽２２ａにおける希釈処理及びｐＨ調整処理に関する動作、及び加湿浄化装置３への次亜塩素酸水の供給処理に関する動作が含まれる。
【００６７】
具体的には、次亜制御部４は、図２に示すように、入力部４ａと、記憶部４ｂと、計時部４ｃと、処理部４ｄと、出力部４ｅとを備える。
【００６８】
＜電解槽における電気分解処理に関する動作＞
次亜制御部４は、電解槽１２ａにおける電気分解処理に関する動作として、以下の処理を実行させる。
【００６９】
入力部４ａは、電解槽１２ａの電気分解処理のトリガーとして、計時部４ｃからの時間に関する情報を受け付け、処理部４ｄへ出力する。
【００７０】
処理部４ｄは、計時部４ｃからの時間に関する情報と、記憶部４ｂからの設定情報とに基づいて制御情報を特定し、出力部４ｅに出力する。ここで、設定情報には、次亜塩素酸水生成の開始時刻または終了時刻に関する情報、電解槽１２ａに導入する水道水の供給量に関する情報、塩化物イオンタンク１２ｄにおける塩化物イオンを含む物質の投入量に関する情報、電極１２ｂにおける電気分解条件（時間、電流値、電圧など）に関する情報、第一水道弁１２ｆの開閉タイミングに関する情報、第一水道弁１２ｆと第一止水弁１２ｈの開閉タイミングに関する情報、及び第一ポンプ１２ｉのオン／オフ動作に関する情報が含まれる。
【００７１】
ここで、電極１２ｂにおける電気分解条件は、電解槽１２ａ内の水道水の水量、塩化物イオン濃度、電気分解時間、電極１２ｂの劣化度合いから決定でき、アルゴリズムを作成して設定され、記憶部４ｂに記憶される。
【００７２】
そして、出力部４ｅは、受け付けた制御情報に基づいて、各機器（電極１２ｂ、塩化物イオンタンク１２ｄ、第一水道弁１２ｆ、第一止水弁１２ｈ）に信号（制御信号）を出力する。
【００７３】
より詳細には、まず、第一止水弁１２ｈは、出力部４ｅからの信号に基づいて閉止した状態を維持し、第一ポンプ１２ｉは、出力部４ｅからの信号に基づいて停止した状態を維持する。
【００７４】
そして、第一水道弁１２ｆは、出力部４ｅからの信号に基づいて開放される。これにより、電解槽１２ａには、第一水道管１２ｃからの水道水の供給が開始される。その後、第一水道弁１２ｆは、電解槽水位センサ１２ｅからの水位情報（満水）を受けた出力部４ｅからの信号に基づいて閉止される。これにより、電解槽１２ａは、水道水が設定された供給量にて給水された状態となる。
【００７５】
次に、塩化物イオンタンク１２ｄは、出力部４ｅからの信号に基づいて動作を開始し、所定量の塩化物イオンを含む物質が電解槽１２ａへ投入して停止する。これにより、水道水に塩化物イオンを含む物質が溶解し、電解槽１２ａは、塩化物イオンを含む水溶液（塩化物水溶液）が生成された状態となる。
【００７６】
そして、電極１２ｂは、出力部４ｅからの信号に基づいて、塩化物水溶液の電解を開始し、設定された条件の次亜塩素酸水を生成して停止する。電極１２ｂにより生成される次亜塩素酸水は、例えば、次亜塩素酸濃度が１００ｐｐｍ〜１５０ｐｐｍ（例えば、１２０ｐｐｍ）であり、ｐＨが７〜８．５（例えば、８．０）の状態となる。
【００７７】
以上のようにして、次亜制御部４は、電解槽１２ａにおいて電気分解処理を実行させる。
【００７８】
＜希釈槽における希釈処理及びｐＨ調整処理に関する動作＞
次亜制御部４は、希釈槽２２ａにおける希釈処理及びｐＨ調整処理に関する動作として、以下の処理を実行させる。
【００７９】
入力部４ａは、希釈槽２２ａの希釈処理のトリガーとして、希釈槽水位センサ２２ｃからの水位情報を受け付け、処理部４ｄへ出力する。
【００８０】
処理部４ｄは、計時部４ｃから時間に関する情報と、記憶部４ｂから設定情報とに基づいて制御情報を特定し、出力部４ｅに出力する。ここで、設定情報には、電解槽１２ａからの次亜塩素酸水の供給量に関する情報、ｐＨ調整剤タンク２２ｄにおけるｐＨ調整剤の投入量に関する情報、希釈槽２２ａに導入する水道水の供給量に関する情報、第二水道弁２２ｅと第一止水弁１２ｈと第二止水弁２２ｆの開閉タイミングに関する情報、及び第一ポンプ１２ｉと第二ポンプ２２ｈのオン／オフ動作に関する情報が含まれる。
【００８１】
ここで、ｐＨ調整剤の投入量は、電解槽１２ａから希釈槽２２ａへ導入した次亜塩素酸水の水量と濃度及び希釈槽２２ａで調製する次亜塩素酸水の目標ｐＨにより決定でき、アルゴリズムを作成して設定され、記憶部４ｂに記憶される。
【００８２】
そして、出力部４ｅは、受け付けた制御情報に基づいて、各機器（ｐＨ調整剤タンク２２ｄ、第二水道弁２２ｅ、第二止水弁２２ｆ、第二ポンプ２２ｈ）に信号（制御信号）を出力する。
【００８３】
より詳細には、まず、第一止水弁１２ｈ及び第二止水弁２２ｆは、出力部４ｅからの信号に基づいて閉止した状態を維持し、第一ポンプ１２ｉ及び第二ポンプ２２ｈは、出力部４ｅからの信号に基づいて停止した状態を維持する。
【００８４】
そして、第二水道弁２２ｅは、出力部４ｅからの信号に基づいて開放される。これにより、希釈槽２２ａには、第二水道管２２ｂからの水道水の供給が開始される。その後、第二水道弁２２ｅは、希釈槽水位センサ２２ｃからの水位情報（規定量となる水位）を受けた出力部４ｅからの信号に基づいて閉止される。これにより、希釈槽２２ａは、水道水が設定された供給量にて給水された状態となる。
【００８５】
そして、第一止水弁１２ｈは、出力部４ｅからの信号に基づいて開放される。そして、第一ポンプ１２ｉは、出力部４ｅからの信号に基づいて、第一止水弁１２ｈの動作に合わせて作動する。これにより、希釈槽２２ａでは、電解槽１２ａからの次亜塩素酸水の供給が開始される。その後、第一水道弁１２ｆは、計時部４ｃからの時間に関する情報（規定量を供給する所要時間）を受けた出力部４ｅからの信号に基づいて閉止される。第一ポンプ１２ｉもまた停止する。これにより、希釈槽２２ａでは、槽内の水道水に電解槽１２ａからの次亜塩素酸水が設定された供給量にて供給され、次亜塩素酸水は希釈される。
【００８６】
続いて、ｐＨ調整剤タンク２２ｄは、出力部４ｅからの信号に基づいて動作を開始し、所定量のｐＨ調整剤を希釈槽２２ａに投入して停止する。これにより、希釈槽２２ａでは、希釈された次亜塩素酸水にｐＨ調整剤が溶解し、ｐＨが調整された次亜塩素酸水が生成される。つまり、希釈槽２２ａでは、電解槽１２ａからの次亜塩素酸水と、第二水道管２２ｂからの水道水と、ｐＨ調整剤タンク２２ｄからのｐＨ調整剤とが混合され、設定された条件（濃度、ｐＨ）の次亜塩素酸水が調整される。混合希釈された次亜塩素酸水は、例えば、次亜塩素酸濃度が１０ｐｐｍ〜５０ｐｐｍ（例えば、３０ｐｐｍ）であり、ｐＨが７〜５（例えば、６．５）の状態となる。
【００８７】
以上のようにして、次亜制御部４は、希釈槽２２ａにおいて希釈処理及びｐＨ調整処理を実行させる。
【００８８】
＜加湿浄化装置３への次亜塩素酸水の供給処理に関する動作＞
次亜制御部４は、加湿浄化装置３への次亜塩素酸水の供給処理に関する動作として、以下の処理を実行させる。
【００８９】
入力部４ａは、加湿浄化装置３への次亜塩素酸水の供給処理のトリガーとして、加湿浄化装置３の加湿制御部５からの信号（後述する給水要求信号）を受け付け、処理部４ｄへ出力する。
【００９０】
処理部４ｄは、計時部４ｃから時間に関する情報と、記憶部４ｂから設定情報とに基づいて制御情報を特定し、出力部４ｅに出力する。ここで、設定情報には、希釈槽２２ａからの次亜塩素酸水の供給量に関する情報、第二止水弁２２ｆの開閉タイミングに関する情報、及び第二ポンプ２２ｈのオン／オフ動作に関する情報が含まれる。
【００９１】
そして、出力部４ｅは、受け付けた制御情報に基づいて、各機器（第二止水弁２２ｆ、第二ポンプ２２ｈ）に信号（制御信号）を出力する。
【００９２】
次に、第二止水弁２２ｆは、出力部４ｅからの信号に基づいて開放される。そして、第二ポンプ２２ｈは、出力部４ｅからの信号に基づいて、第二止水弁２２ｆの動作に合わせて作動する。これにより、希釈槽２２ａでは、加湿浄化装置３（加湿器タンク３ａ）への次亜塩素酸水の供給が開始される。
【００９３】
その後、第二止水弁２２ｆは、計時部４ｃからの時間に関する情報（規定量を供給する所要時間）を受けた出力部４ｅからの信号に基づいて閉止される。そして、第二ポンプ２２ｈもまた停止する。これにより、希釈槽２２ａは、加湿浄化装置３（加湿器タンク３ａ）に対して次亜塩素酸水が設定された供給量にて供給する。
【００９４】
以上のようにして、次亜制御部４は、加湿浄化装置３への次亜塩素酸水の供給処理を実行させる。
【００９５】
＜加湿浄化装置の加湿制御部＞
次に、加湿浄化装置３の加湿制御部５について説明する。
【００９６】
加湿制御部５は、加湿浄化装置３における処理動作を制御する。具体的には、加湿制御部５は、図３に示すように、入力部５ａと、記憶部５ｂと、計時部５ｃと、処理部５ｄと、出力部５ｅとを備える。
【００９７】
入力部５ａは、操作パネル１０からのユーザ入力情報と、温湿度センサ１１からの対象空間Ｓの空気の温湿度情報と、加湿器タンク水位センサ３ｂからの加湿器タンク３ａ内の次亜塩素酸水の水位情報と、次亜塩素酸水濃度センサ３ｇからの加湿器タンク３ａ内の次亜塩素酸水に含まれる次亜塩素酸の濃度情報（含有量情報）とを受け付ける。入力部５ａは、受け付けた各情報を処理部５ｄに出力する。
【００９８】
ここで、操作パネル１０は、加湿浄化装置３に関するユーザ入力情報（例えば、風量、目標温度、目標湿度、次亜塩素酸の添加の有無、次亜塩素酸の目標供給量レベル、等）を入力する端末であり、無線または有線により加湿制御部５と通信可能に接続されている。
【００９９】
また、温湿度センサ１１は、対象空間Ｓ内に設けられ、対象空間Ｓの空気の温湿度を感知するセンサである。
【０１００】
記憶部５ｂは、入力部５ａが受け付けたユーザ入力情報と、装置内を流通する空気に対する次亜塩素酸の供給動作における供給設定情報とを記憶する。記憶部５ｂは、記憶した供給設定情報を処理部５ｄに出力する。なお、次亜塩素酸の供給動作における供給設定情報は、遠心破砕ユニット３ｃの加湿動作における加湿設定情報とも言える。
【０１０１】
計時部５ｃは、現在時刻に関する時刻情報を処理部５ｄに出力する。
【０１０２】
処理部５ｄは、入力部５ａからの各種情報（ユーザ入力情報、温湿度情報、水位情報、濃度情報）と、記憶部５ｂからの供給設定情報とを受け付ける。処理部５ｄは、受け付けたユーザ入力情報及び供給設定情報を用いて、加湿浄化運転動作に関する制御情報を特定する。
【０１０３】
また、処理部５ｄは、加湿器タンク水位センサ３ｂからの水位情報に、加湿器タンク３ａ内の次亜塩素酸水の渇水を示す水位に関する情報が含まれる場合には、次亜塩素酸水生成装置２の次亜制御部４に対する給水要求に関する情報（給水要求情報）を特定する。
【０１０４】
さらに、処理部５ｄは、次亜塩素酸水濃度センサ３ｇからの濃度情報に含まれる次亜塩素酸の濃度（加湿器タンク３ａ内の次亜塩素酸水に含まれる次亜塩素酸の濃度）が基準濃度以下である場合には、加湿器タンク３ａ内に貯水されている次亜塩素酸水を排水し、新たな次亜塩素酸水を給水する第一処理に関する制御情報を特定する。そして、処理部５ｄは、次亜塩素酸水生成装置２の次亜制御部４に対する給水要求に関する情報（給水要求情報）を特定する。なお、基準濃度は、対象空間Ｓ内で除菌・脱臭効果を得るために最低限必要な濃度に設定される。
【０１０５】
そして、処理部５ｄは、特定した制御情報及び給水要求情報を出力部５ｅに出力する。
【０１０６】
出力部５ｅは、処理部５ｄからの制御情報を受け付ける。出力部５ｅは、加湿浄化装置３の遠心破砕ユニット３ｃ及び排水弁３ｉと電気的に接続される。そして、出力部５ｅは、受け付けた制御情報に基づいて、加湿浄化装置３の加湿浄化運転動作を制御する信号（制御信号）を出力する。
【０１０７】
また、出力部５ｅは、処理部５ｄからの給水要求情報を受け付ける。出力部５ｅは、次亜塩素酸水生成装置２の次亜制御部４と電気的に接続される。そして、出力部５ｅは、受け付けた給水要求情報に基づいて、次亜制御部４に対して信号（給水要求信号）を出力する。
【０１０８】
そして、遠心破砕ユニット３ｃと排水弁３ｉとは、出力部５ｅからの信号をそれぞれ受け付け、受け付けた信号に基づいてそれぞれの運転動作の制御を実行する。また、次亜塩素酸水生成装置２の次亜制御部４は、出力部５ｅからの信号を受け付け、受け付けた信号に基づいて加湿浄化装置３への次亜塩素酸水の供給処理に関する動作を実行する。
【０１０９】
以上のようにして、加湿制御部５は、加湿浄化装置３を流通する空気への次亜塩素酸の付与処理を実行させる。
【０１１０】
次に、空間浄化システム１における次亜塩素酸濃度の経時変化について、図４を参照して説明する。図４は、空間浄化システム１における次亜塩素酸濃度の経時変化を示す概略図である。より詳細には、図４の（ａ）は、加湿器タンク３ａ内の次亜塩素酸水に含まれる次亜塩素酸の濃度（含有量）の経時変化の様子を示す図である。図４の（ｂ）は、吹出口９ａ（加湿浄化装置３の空気送出口３ｅ）から吹き出される空気に含まれる次亜塩素酸ガスの濃度の経時変化の様子を示す図である。図４の（ｃ）は、対象空間Ｓ内の空気に含まれる次亜塩素酸ガスの濃度の経時変化の様子を示す図である。
【０１１１】
図４の（ａ）に示すように、加湿浄化装置３では、加湿器タンク３ａ内に貯水された次亜塩素酸水に含まれる次亜塩素酸の濃度（含有量）は、運転時間とともに減少していくことが分かる。これは、次亜塩素酸が水よりも蒸気圧が高いことに起因して、次亜塩素酸が気化して空気に付与されるためであると推察される。なお、次亜塩素酸が気化しなければ、遠心破砕ユニット３ｃによって微細化された水とともに、水に含まれる次亜塩素酸が消費されるだけなので、次亜塩素酸水に含まれる次亜塩素酸は、運転時間とともに減少しないと推察される。
【０１１２】
そして、図４の（ｂ）に示すように、加湿浄化装置３では、加湿器タンク３ａに次亜塩素酸水が給水されると、遠心破砕ユニット３ｃの作用により水とともに次亜塩素酸が放出され始め、吹出口９ａから吹き出される次亜塩素酸ガスの濃度が上昇する。そして、加湿器タンク３ａ内の次亜塩素酸水に含まれる次亜塩素酸の濃度が減少するのに伴い、吹出口９ａから吹き出される次亜塩素酸ガスの濃度も徐々に小さくなっていることが分かる。つまり、加湿浄化装置３では、加湿器タンク３ａ内の次亜塩素酸水に含まれる次亜塩素酸の濃度（含有量）の減少を受けて、吹出口９ａから吹き出される空気に含まれる次亜塩素酸ガスの濃度も減少してしまうと言える。
【０１１３】
そして、図４の（ｃ）に示すように、対象空間Ｓ内では、吹出口９ａから次亜塩素酸ガスが放出されると、対象空間Ｓ内に次亜塩素酸ガスが拡散し、徐々に対象空間Ｓ内の次亜塩素酸ガス濃度は上昇する。そして、吹出口９ａから放出される次亜塩素酸ガスの濃度が小さくなるにつれて、対象空間Ｓ内の次亜塩素酸ガスの濃度も徐々に小さくなっていることが分かる。つまり、加湿浄化装置３では、加湿器タンク３ａ内の次亜塩素酸水に含まれる次亜塩素酸の濃度（含有量）の減少を受けて、対象空間Ｓ内における空気に含まれる次亜塩素酸ガスの濃度も減少してしまうと言える。
【０１１４】
本実施の形態に係る空間浄化システム１では、上述した次亜塩素酸の濃度変化を踏まえ、次亜塩素酸水濃度センサ３ｇによって加湿器タンク３ａ内の次亜塩素酸水に含まれる次亜塩素酸の濃度（含有量）を所定時間（例えば、１分）ごとに検出するようにしている。そして、検出された次亜塩素酸の濃度（含有量）が基準濃度以下となった場合に、次亜塩素酸の含有量が減少した次亜塩素酸水を排水し、設定濃度の次亜塩素酸水を新たに給水する第一処理を実行するようにしている。これにより、加湿器タンク３ａ内の次亜塩素酸水に含まれる次亜塩素酸の濃度（含有量）が時間経過に伴って減少してしまい、対象空間Ｓに対して次亜塩素酸ガスが放出されなくなることを抑制している。
【０１１５】
なお、第一処理を実行することで、遠心破砕ユニット３ｃによる加湿動作が一時的に停止するので、図４の（ｂ）に示すように、吹出口９ａから吹き出される次亜塩素酸ガスの濃度が一時的に減少する。
【０１１６】
以上、本実施の形態１に係る加湿浄化装置３及びこれを用いた空間浄化システム１によれば、以下の効果を享受することができる。
【０１１７】
（１）加湿浄化装置３は、加湿器タンク３ａに貯水された次亜塩素酸水を微細化して、装置内を流通する空気に含ませて放出する遠心破砕ユニット３ｃと、遠心破砕ユニット３ｃにおける次亜塩素酸水の微細化動作を制御する加湿制御部５とを備える。そして、加湿制御部５は、微細化動作中に、加湿器タンク３ａに貯水された次亜塩素酸水に含まれる次亜塩素酸の含有量に関する情報に基づいて、加湿器タンク３ａに貯水された次亜塩素酸水を排水して、新たに次亜塩素酸水を給水する第一処理を実行させるようにした。
【０１１８】
これにより、加湿器タンク３ａに貯水された次亜塩素酸水に含まれる次亜塩素酸が気化して減少し、遠心破砕ユニット３ｃから設定濃度で次亜塩素酸が放出されなくなる前に、第一処理によって新たな次亜塩素酸水に交換される。このため、加湿浄化装置３では、遠心破砕ユニット３ｃから放出される空気に次亜塩素酸を安定して付与することができる。つまり、微細化した水に次亜塩素酸を含ませて放出する微細化動作を継続して行う場合に、次亜塩素酸を安定して付与可能な加湿浄化装置３とすることができる。
【０１１９】
（２）加湿浄化装置３は、遠心破砕ユニット３ｃに貯水された次亜塩素酸水に含まれる次亜塩素酸の濃度を検出する次亜塩素酸水濃度センサ３ｇを有して構成した。そして、加湿制御部５は、次亜塩素酸水濃度センサ３ｇにおいて検出された濃度情報に含まれる次亜塩素酸の濃度が基準濃度以下である場合に、第一処理を実行させるように制御した。これにより、加湿浄化装置３では、濃度情報に基づいて、加湿器タンク３ａに貯水された次亜塩素酸水に含まれる次亜塩素酸の含有量が基準濃度よりも高く維持されるので、遠心破砕ユニット３ｃから放出される空気に設定濃度の次亜塩素酸を安定して付与することができる。
【０１２０】
（３）空間浄化システム１は、上述した加湿浄化装置３と、塩化物水溶液を電気分解することで次亜塩素酸水を生成する次亜塩素酸水生成装置２とを備える。そして、加湿器タンク３ａには、第一処理において、次亜塩素酸水生成装置２から次亜塩素酸水が給水されるようにした。これにより、空間浄化システム１では、次亜塩素酸水生成装置２からの次亜塩素酸水を用いて、上述した加湿浄化装置３から次亜塩素酸を安定して付与することができる。つまり、微細化した水に次亜塩素酸を含ませて放出する微細化動作を継続して行う場合に、次亜塩素酸を安定して付与可能な空間浄化システム１とすることができる。
【０１２１】
（実施の形態２）
本発明の実施の形態２に係る空間浄化システム１ａは、加湿浄化装置３は、加湿器タンク３ａ内に次亜塩素酸水濃度センサ３ｇを設置せずに、予め設定した時間ごとに第一処理（加湿器タンク３ａ内に貯水されている次亜塩素酸水を排水し、新たに次亜塩素酸水を給水する処理）を実行する点で実施の形態１と異なる。これ以外の空間浄化システム１ａの構成及び制御方法は、実施の形態１に係る空間浄化システム１と同様である。以下、実施の形態１で説明済みの内容は再度の説明を適宜省略し、実施の形態１と異なる点を主に説明する。
【０１２２】
本発明の実施の形態２に係る空間浄化システム１ａについて、図５を参照しながら説明する。図５は、本発明の実施の形態２に係る空間浄化システム１ａの模式図である。
【０１２３】
空間浄化システム１ａは、空間浄化システム１と同様、塩化物水溶液を電気分解することで次亜塩素酸水を生成する次亜塩素酸水生成装置２と、次亜塩素酸水生成装置２からの次亜塩素酸水を遠心破砕方式により微細化して、装置内を流通する空気に含ませて放出する加湿浄化装置３とを備える。そして、空間浄化システム１ａにおいても、次亜塩素酸水生成装置２の次亜制御部４と、加湿浄化装置３の加湿制御部５とによってその処理動作が制御される。
【０１２４】
＜次亜塩素酸水生成装置の次亜制御部＞
空間浄化システム１ａの次亜制御部４による次亜塩素酸水生成装置２の処理動作（電解槽１２ａにおける電気分解処理に関する動作、希釈槽２２ａにおける希釈処理及びｐＨ調整処理に関する動作、加湿浄化装置３への次亜塩素酸水の供給処理に関する動作）は、実施の形態と同様であるので、説明を省略する。
【０１２５】
＜加湿浄化装置の加湿制御部＞
空間浄化システム１ａの加湿制御部５は、加湿浄化装置３における処理動作を制御する。具体的には、加湿制御部５は、図３に示すように、入力部５ａと、記憶部５ｂと、計時部５ｃと、処理部５ｄと、出力部５ｅとを備える。
【０１２６】
入力部５ａは、操作パネル１０からのユーザ入力情報と、温湿度センサ１１からの対象空間Ｓの空気の温湿度情報と、加湿器タンク水位センサ３ｂからの加湿器タンク３ａ内の次亜塩素酸水の水位情報とを受け付ける。入力部５ａは、受け付けた各情報を処理部５ｄに出力する。
【０１２７】
記憶部５ｂは、入力部５ａが受け付けたユーザ入力情報と、装置内を流通する空気に対する次亜塩素酸の供給動作における供給設定情報とを記憶する。また、記憶部５ｂは、図４の（ａ）に示した次亜塩素酸の経時変化を受けて特定される時間情報であって、加湿器タンク３ａ内の次亜塩素酸水に含まれる次亜塩素酸の濃度（含有量）が、予め設定した基準濃度（基準含有量）以下となるまでの時間情報（例えば、１時間）を記憶する。記憶部５ｂは、記憶した供給設定情報を処理部５ｄに出力する。
【０１２８】
なお、時間情報は、次亜塩素酸の含有量が微細化動作を開始してから基準含有量以下となるまでの時間であり、図４の（ａ）に示した次亜塩素酸の経時変化に基づいて、予め実験評価によって見積られた時間に関する情報である。また、基準濃度は、対象空間Ｓ内で除菌・脱臭効果を得るために最低限必要な濃度に設定される。また、時間情報は、使用する次亜塩素酸水の濃度ごとに見積られることが好ましい。
【０１２９】
計時部５ｃは、現在時刻に関する時刻情報を処理部５ｄに出力する。
【０１３０】
処理部５ｄは、入力部５ａからの各種情報（ユーザ入力情報、温湿度情報）と、記憶部５ｂからの供給設定情報及び時間情報とを受け付ける。処理部５ｄは、受け付けたユーザ入力情報、供給設定情報、及び時間情報を用いて、加湿浄化運転動作に関する制御情報を特定する。
【０１３１】
また、処理部５ｄは、加湿器タンク水位センサ３ｂからの水位情報に、加湿器タンク３ａ内の次亜塩素酸水の渇水を示す水位に関する情報が含まれる場合には、次亜塩素酸水生成装置２の次亜制御部４に対する給水要求に関する情報（給水要求情報）を特定する。
【０１３２】
さらに、処理部５ｄは、時間情報に基づいて１時間ごとに、加湿器タンク３ａ内に貯水される次亜塩素酸水を排水して、新たに次亜塩素酸水を給水する第一処理に関する制御情報を特定する。そして、処理部５ｄは、時間情報に基づいて１時間ごとに、次亜塩素酸水生成装置２の次亜制御部４に対する給水要求に関する情報（給水要求情報）を特定する。
【０１３３】
そして、処理部５ｄは、特定した制御情報及び給水要求情報を出力部５ｅに出力する。
【０１３４】
出力部５ｅは、処理部５ｄからの制御情報を受け付ける。出力部５ｅは、加湿浄化装置３の遠心破砕ユニット３ｃ及び排水弁３ｉと電気的に接続される。そして、出力部５ｅは、受け付けた制御情報に基づいて、加湿浄化装置３の加湿浄化運転動作を制御する信号（制御信号）を出力する。
【０１３５】
また、出力部５ｅは、処理部５ｄからの給水要求情報を受け付ける。出力部５ｅは、次亜塩素酸水生成装置２の次亜制御部４と電気的に接続される。そして、出力部５ｅは、受け付けた給水要求情報に基づいて、次亜制御部４に対して信号（給水要求信号）を出力する。
【０１３６】
そして、遠心破砕ユニット３ｃと排水弁３ｉとは、出力部５ｅからの信号をそれぞれ受け付け、受け付けた信号に基づいてそれぞれの運転動作の制御を実行する。また、次亜制御部４は、出力部５ｅからの信号を受け付け、受け付けた信号に基づいて加湿浄化装置３に対する給水動作の制御を実行する。
【０１３７】
以上のようにして、空間浄化システム１ａの加湿制御部５は、加湿浄化装置３における次亜塩素酸の付与処理を実行させる。
【０１３８】
次に、空間浄化システム１ａにおける次亜塩素酸濃度の経時変化について、図６を参照して説明する。図６は、空間浄化システム１ａにおける次亜塩素酸濃度の経時変化を示す概略図である。より詳細には、図６の（ａ）は、加湿器タンク３ａ内の次亜塩素酸水に含まれる次亜塩素酸の濃度（含有量）の経時変化の様子を示す図である。図６の（ｂ）は、吹出口９ａ（加湿浄化装置３の空気送出口３ｅ）から吹き出される空気に含まれる次亜塩素酸ガスの濃度の経時変化の様子を示す図である。図６の（ｃ）は、対象空間Ｓ内の空気に含まれる次亜塩素酸ガスの濃度の経時変化の様子を示す図である。
【０１３９】
空間浄化システム１ａの加湿浄化装置３では、図６の（ａ）に示すように、１時間ごとに、加湿器タンク３ａ内に貯水された次亜塩素酸水に含まれる次亜塩素酸の濃度（含有量）は、運転時間とともに増加と減少を繰り返すことが分かる。ここで、次亜塩素酸の濃度（含有量）の減少は、図４の（ａ）を用いて説明した理由によるものであり、次亜塩素酸の濃度（含有量）の増加は、新しい次亜塩素酸水に交換したことによるものである。
【０１４０】
そして、図６の（ｂ）に示すように、空間浄化システム１ａの加湿浄化装置３では、加湿器タンク３ａ内の次亜塩素酸水に含まれる次亜塩素酸の濃度の増加と減少に対応して、吹出口９ａから吹き出される次亜塩素酸ガスの濃度も増加と減少を繰り返すことが分かる。
【０１４１】
そして、図６の（ｃ）に示すように、対象空間Ｓ内では、加湿器タンク３ａ内の次亜塩素酸水に含まれる次亜塩素酸の濃度（含有量）の増加と減少の繰り返しを受けて、対象空間Ｓ内における空気に含まれる次亜塩素酸ガスの濃度も減少と増加を繰り返していることが分かる。
【０１４２】
本実施の形態２に係る空間浄化システム１ａでは、加湿器タンク３ａ内に次亜塩素酸水濃度センサ３ｇを設置せずに、予め設定した時間（例えば、１時間）ごとに第一処理（加湿器タンク３ａ内に貯水される次亜塩素酸水を排水して、新たに次亜塩素酸水を給水する処理）を実行するようにしている。これにより、加湿器タンク３ａ内の次亜塩素酸水に含まれる次亜塩素酸の濃度（含有量）が減少してしまい、対象空間Ｓに対して次亜塩素酸ガスが放出されなくなることを継続して抑制することができる。
【０１４３】
以上、本実施の形態２に係る空間浄化システム１ａにおける加湿浄化装置３によれば、以下の効果を享受することができる。
【０１４４】
（１）空間浄化システム１ａにおける加湿浄化装置３では、加湿制御部５は、予め特定された時間情報であって、次亜塩素酸の含有量が微細化動作を開始してから基準含有量以下となるまでの時間情報（例えば、１時間）に基づいて第一処理を実行させるようにした。ここれにより、加湿浄化装置３では、時間情報に基づいて、加湿器タンク３ａに貯水された次亜塩素酸水に含まれる次亜塩素酸の含有量が基準含有量よりも高く維持されるので、遠心破砕ユニット３ｇから放出される空気に設定濃度の次亜塩素酸を安定して付与することができる。
【０１４５】
（実施の形態３）
本発明の実施の形態３に係る空間浄化システム１ｂは、１台の次亜塩素酸水生成装置２に対して複数台の加湿浄化装置３が接続されて構成されている点で実施の形態２と異なる。これ以外の空間浄化システム１ｂの基本的な構成及び制御方法は、実施の形態２に係る空間浄化システム１ａと同様である。以下、実施の形態２で説明済みの内容は再度の説明を適宜省略し、実施の形態２と異なる点を主に説明する。
【０１４６】
本発明の実施の形態３に係る空間浄化システム１ｂについて、図７を参照しながら説明する。図７は、本発明の実施の形態３に係る空間浄化システム１ｂの模式図である。
【０１４７】
空間浄化システム１ｂは、図７に示すように、１台の次亜塩素酸水生成装置２と、３台の加湿浄化装置３とを有して構成される。そして、空間浄化システム１ｂでは、３台の加湿浄化装置３における微細化動作（加湿浄化運転動作）の開始タイミングが互いに異なるように制御される。
【０１４８】
具体的には、空間浄化システム１ｂは、比較的広い空間となる対象空間Ｓの殺菌及び消臭を行うために、加湿浄化装置３として、第一加湿浄化装置３Ｘ、第二加湿浄化装置３Ｙ、及び第三加湿浄化装置３Ｚの３台を備えている。そして、加湿浄化装置３のそれぞれは、分岐した第二送水管２２ｇによって次亜塩素酸水生成装置２と接続され、次亜塩素酸水の給水を受けるようになっている。ここで、加湿浄化装置３のそれぞれは、実施の形態２における加湿浄化装置３と同じ構成であり、且つ、同じ制御方法により加湿制御がなされる。つまり、加湿浄化装置３のそれぞれは、予め設定した時間（例えば、１時間）ごとに第一処理（加湿器タンク３ａ内に貯水される次亜塩素酸水を排水して、新たに次亜塩素酸水を給水する処理）を実行するように制御される。但し、空間浄化システム１ｂでは、加湿浄化装置３のそれぞれにおける微細化動作（加湿浄化運転動作）の開始タイミングを所定時間（例えば、２０分）ずらして制御している。なお、第一加湿浄化装置３Ｘは、請求項の「第一空間浄化装置」に相当し、第二加湿浄化装置３Ｙは、請求項の「第二空間浄化装置」に相当する。
【０１４９】
次に、空間浄化システム１ｂにおける次亜塩素酸濃度の経時変化について、図８を参照して説明する。図８は、空間浄化システム１ｂにおける次亜塩素酸濃度の経時変化を示す概略図である。より詳細には、図８は、２台の加湿浄化装置３（例えば、第一加湿浄化装置３Ｘ、第二加湿浄化装置３Ｙ）を用いて加湿浄化の開始タイミングを３０分ずらして制御した場合において、対象空間Ｓ内の空気に含まれる次亜塩素酸ガスの濃度の経時変化を示している。なお、図中では、装置２台平均の次亜塩素酸ガスの濃度を実線で示している。
【０１５０】
図８に示すように、第一加湿浄化装置３Ｘと第二加湿浄化装置３Ｙのぞれぞれは、対象空間Ｓ内における空気に含まれる次亜塩素酸ガスの濃度は、１時間ごとに減少と増加を繰り返している。一方、加湿浄化の開始タイミングを３０分ずらしたことで、第一加湿浄化装置３Ｘの次亜塩素酸ガスの濃度減少ピークと第二加湿浄化装置３Ｙの次亜塩素酸ガスの濃度増加ピークとが重なりあうことになり、装置２台平均の次亜塩素酸ガスの濃度では、濃度の増減変動幅が小さくなっていることが分かる。つまり、空間浄化システム１ｂでは、２台の加湿浄化装置３によって互いの次亜塩素酸の減少を補い合い、対象空間Ｓにおける空気に含まれる次亜塩素酸の濃度を安定化することができる。
【０１５１】
なお、第三加湿浄化装置３Ｚを含めた３台の加湿浄化装置３であっても同様であるが、互いの次亜塩素酸の減少を補い合う加湿浄化装置３としては、互いに隣接する位置（物理的な距離が近い位置）にある加湿浄化装置３同士が好ましい。
【０１５２】
以上、本実施の形態３に係る空間浄化システム１ｂによれば、以下の効果を享受することができる。
【０１５３】
（１）空間浄化システム１ｂでは、次亜塩素酸水生成装置２は、所定の対象空間Ｓに設置された複数の加湿浄化装置３に対して次亜塩素酸水を給水可能に接続されており、複数の加湿浄化装置３のうち、少なくとも第一加湿浄化装置３Ｘと第二加湿浄化装置３Ｙとは、第一処理後における遠心破砕ユニット３ｃの動作開始タイミングが互いに異なるように制御されるようにした。これにより、第一加湿浄化装置３Ｘの遠心破砕ユニット３ｃから放出される次亜塩素酸と、第二加湿浄化装置３Ｙの遠心破砕ユニット３ｃから放出される次亜塩素酸とによって、所定の対象空間Ｓにおける空気に含まれる次亜塩素酸の濃度変動幅を減少させることができる。つまり、微細化した水に次亜塩素酸を含ませて放出する微細化動作を継続して行う場合に、所定の対象空間Ｓにおける空気に含まれる次亜塩素酸の濃度を安定化することが可能な空間浄化システム１ｂとすることができる。
【０１５４】
以上、本発明に関して実施の形態をもとに説明した。これらの実施の形態は例示であり、それらの各構成要素あるいは各処理プロセスの組み合わせにいろいろな変形例が可能なこと、またそうした変形例も本発明の範囲にあることは当業者に理解されているところである。
【０１５５】
本実施の形態１に係る加湿浄化装置３では、次亜塩素酸水濃度センサ３ｇによって加湿器タンク３ａ内の次亜塩素酸水に含まれる次亜塩素酸の濃度を所定時間（例えば、１分）ごとに検出するようにしたが、これに限られない。例えば、空気送出口３ｅと吹出口９ａとを連通するダクト９に、ダクト９内を流通する空気（水と次亜塩素酸を含む空気）に含まれる次亜塩素酸ガスの濃度を所定時間（例えば、１分）ごとに検出する。そして、検出された次亜塩素酸ガスの濃度が基準濃度以下となった場合に、上述した第一処理（加湿器タンク３ａ内の次亜塩素酸の含有量が減少した次亜塩素酸水を排水し、設定濃度の次亜塩素酸水を新たに給水する処理）を実行するようにしてもよい。このようにしても、上述した効果を享受することができる。
【０１５６】
また、本実施の形態に係る加湿浄化装置３では、遠心破砕ユニット３ｃを用いて加湿浄化を行ったが、これに限られない。例えば、加湿方式として超音波式、加熱式、気化式などの他方式であってもよい。
【産業上の利用可能性】
【０１５７】
本発明に係る空間浄化装置及びこれを用いた空間浄化システムは、微細化した水に次亜塩素酸を含ませて放出する微細化動作を継続して行う場合に、次亜塩素酸を安定して付与可能な制御を行っており、対象空間の空気を除菌する装置またはシステムとして有用である。
【符号の説明】
【０１５８】
１    空間浄化システム
１ａ    空間浄化システム
１ｂ    空間浄化システム
２    次亜塩素酸水生成装置
３    加湿浄化装置
３ａ    加湿器タンク
３ｂ    加湿器タンク水位センサ
３ｃ    遠心破砕ユニット
３ｄ    空気導入口
３ｅ    空気送出口
３ｆ    ブロア
３ｇ    次亜塩素酸水濃度センサ
３ｈ    排水管
３ｉ    排水弁
４    次亜制御部
４ａ    入力部
４ｂ    記憶部
４ｃ    計時部
４ｄ    処理部
４ｅ    出力部
５    加湿制御部
５ａ    入力部
５ｂ    記憶部
５ｃ    計時部
５ｄ    処理部
５ｅ    出力部
９    ダクト
９ａ    吹出口
１０    操作パネル
１１    温湿度センサ
１２ａ    電解槽
１２ｂ    電極
１２ｃ    第一水道管
１２ｄ    塩化物イオンタンク
１２ｅ    電解槽水位センサ
１２ｆ    第一水道弁
１２ｇ    第一送水管
１２ｈ    第一止水弁
１２ｉ    第一ポンプ
２２ａ    希釈槽
２２ｂ    第二水道管
２２ｃ    希釈槽水位センサ
２２ｄ    ｐＨ調整剤タンク
２２ｅ    第二水道弁
２２ｆ    第二止水弁
２２ｇ    第二送水管
２２ｈ    第二ポンプ
【要約】
【課題】微細化した水に次亜塩素酸を含ませて放出する微細化動作を継続して行う場合に、次亜塩素酸を安定して付与可能な空間浄化装置を提供する。
【解決手段】空間浄化装置である加湿浄化装置３は、加湿器タンク３ａに貯水された次亜塩素酸水を微細化して、装置内を流通する空気に含ませて放出する遠心破砕ユニット３ｃと、遠心破砕ユニット３ｃにおける次亜塩素酸水の微細化動作を制御する加湿制御部５と、を備える。そして、加湿制御部５は、微細化動作中に、加湿器タンク３ａに貯水された次亜塩素酸水に含まれる次亜塩素酸の含有量に関する情報（濃度情報）に基づいて、加湿器タンク３ａに貯水された次亜塩素酸水を排水して、新たに次亜塩素酸水を給水する第一処理を実行させる。
【選択図】図１【図１】
0006917553.tif 000002
【図２】
0006917553.tif 000003
【図３】
0006917553.tif 000004
【図４】
0006917553.tif 000005
【図５】
0006917553.tif 000006
【図６】
0006917553.tif 000007
【図７】
0006917553.tif 000008
【図８】
0006917553.tif 000009